(57)【要約】【課題】バーチャルコンカチネーション（ＶＣＡＴ）を用いてクライアントデータをＳＤＨ／ＳＯＮＥＴネットワークを介して伝送する際に、伝送遅延の低減が可能なＳＤＨ／ＳＯＮＥＴ伝送装置を提供する。【解決手段】受信したいずれかのＶＣＡＴパスの受信ＳＤＨ／ＳＯＮＥＴフレームが他のＶＣＡＴパスと所定の遅延差閾値以上の遅延差であることをＬＣＡＳ管理部２３で検知した際、マッピング／デマッピング部８ａは送信クライアントデータの当該ＶＣＡＴパスへのマッピングを抑止し、かつ、当該ＶＣＡＴパスの送信側処理部２６はコントロールワード“ＤＮＵ”を含む送信ＳＤＨ／ＳＯＮＥＴフレームを送信し、一方、コントロールワード“ＤＮＵ”を受信した際、当該ＶＣＡＴパスの受信ＳＤＨ／ＳＯＮＥＴフレームのデマッピングを抑止し、かつ、当該ＶＣＡＴパスとＶＣＧを構成する他のＶＣＡＴパスとの受信ＳＤＨ／ＳＯＮＥＴフレームの位相合わせを抑止する。【選択図】        図１
2010212803.tif 000002
【特許請求の範囲】
【請求項１】
クライアントから送信されてきた送信クライアントデータを、バーチャルコンカチネーション（ＶＣＡＴ：Virtual  Concatenation）を用いてＳＤＨ（Synchronous  Digital  Hierarchy）／ＳＯＮＥＴ（Synchronous  Optical  NETwork）ネットワーク上を伝送するＳＤＨ／ＳＯＮＥＴ伝送装置において、前記送信クライアントデータのトラフィック量に応じて、遅延量が大きく、他のＶＣＡＴパスとの遅延差が大きいＶＣＡＴパスを自動的にＶＣＧ（Virtual  Concatenation  Group）メンバから一時削除したり、再追加したりすることを特徴とするＳＤＨ／ＳＯＮＥＴ伝送装置。
【請求項２】
対向装置から受信するいずれかのＶＣＡＴパスの受信ＳＤＨ／ＳＯＮＥＴフレームの遅延量が大きく、他のＶＣＡＴパスの受信ＳＤＨ／ＳＯＮＥＴフレームの遅延量に比しあらかじめ定めた遅延差閾値以上の遅延差である場合、当該ＶＣＡＴパスの送信ＳＤＨ／ＳＯＮＥＴフレームにＩＴＵ勧告で規定されているコントロールワード“ＤＮＵ（Do  Not  Use）”を挿入して、対向装置へ送信するとともに、当該ＶＣＡＴパスへ前記送信クライアントデータをマッピングする動作を抑止することにより、当該ＳＤＨ／ＳＯＮＥＴ装置の送信側において当該ＶＣＡＴパスをＶＣＧから一時削除することを特徴とする請求項１に記載のＳＤＨ／ＳＯＮＥＴ伝送装置。
【請求項３】
対向装置からコントロールワード“ＤＮＵ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームをデマッピングする動作を抑止するとともに、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を抑止することにより、当該ＳＤＨ／ＳＯＮＥＴ装置の受信側において当該ＶＣＡＴパスをＶＣＧから一時削除することを特徴とする請求項２に記載のＳＤＨ／ＳＯＮＥＴ伝送装置。
【請求項４】
前記送信クライアントデータをマッピングするために一時保存している送信用バッファのデータ量が、あらかじめ定めた送信バッファ閾値を超過した場合、送信側のＳＤＨ／ＳＯＮＥＴ装置において一時削除したＶＣＡＴパスの送信ＳＤＨ／ＳＯＮＥＴフレームに、位相合わせの開始を指示するコントロールワード“位相合わせ開始”を挿入して、対向装置へ送信するとともに、当該ＶＣＡＴパスへ前記送信クライアントデータをマッピングする動作を再開させることにより、当該ＳＤＨ／ＳＯＮＥＴ装置の送信側において当該ＶＣＡＴパスをＶＣＧに再度追加し直すことを特徴とする請求項２または３に記載のＳＤＨ／ＳＯＮＥＴ伝送装置。
【請求項５】
一時削除した前記ＶＣＡＴパスへ前記送信クライアントデータをマッピングする動作を再開する際に、当該ＶＣＡＴパスの送信ＳＤＨ／ＳＯＮＥＴフレームに挿入するコントロールワードを前記コントロールワード“位相合わせ開始”からＩＴＵ勧告で規定されているコントロールワード“ＮＯＲＭ（Ｎｏｒｍａｌ）”に切り替えて、対向装置へ送信することを特徴とする請求項４に記載のＳＤＨ／ＳＯＮＥＴ伝送装置。
【請求項６】
対向装置からコントロールワード“位相合わせ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を再開するとともに、当該ＶＣＡＴパスの受信ＳＤＨ／ＳＯＮＥＴフレームをデマッピングする動作を再開することにより、当該ＳＤＨ／ＳＯＮＥＴ装置の受信側において当該ＶＣＡＴパスをＶＣＧに再度追加し直すことを特徴とする請求項４または５に記載のＳＤＨ／ＳＯＮＥＴ伝送装置。
【請求項７】
クライアントから送信されてきた送信クライアントデータを、バーチャルコンカチネーション（ＶＣＡＴ：Virtual  Concatenation）を用いてＳＤＨ（Synchronous  Digital  Hierarchy）／ＳＯＮＥＴ（Synchronous  Optical  NETwork）ネットワーク上を伝送するＳＤＨ／ＳＯＮＥＴ伝送装置における伝送遅延低減方法であって、前記送信クライアントデータのトラフィック量に応じて、遅延量が大きく、他のＶＣＡＴパスとの遅延差が大きいＶＣＡＴパスを自動的にＶＣＧ（Virtual  Concatenation  Group）メンバから一時削除したり、再追加したりすることを特徴とする伝送遅延低減方法。
【請求項８】
対向装置から受信するいずれかのＶＣＡＴパスの受信ＳＤＨ／ＳＯＮＥＴフレームの遅延量が大きく、他のＶＣＡＴパスの受信ＳＤＨ／ＳＯＮＥＴフレームの遅延量に比しあらかじめ定めた遅延差閾値以上の遅延差である場合、当該ＶＣＡＴパスの送信ＳＤＨ／ＳＯＮＥＴフレームにＩＴＵ勧告で規定されているコントロールワード“ＤＮＵ（Do  Not  Use）”を挿入して、対向装置へ送信するとともに、当該ＶＣＡＴパスへ前記送信クライアントデータをマッピングする動作を抑止することにより、ＳＤＨ／ＳＯＮＥＴ装置の送信側において当該ＶＣＡＴパスをＶＣＧから一時削除することを特徴とする請求項７に記載の伝送遅延低減方法。
【請求項９】
対向装置からコントロールワード“ＤＮＵ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームをデマッピングする動作を抑止するとともに、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を抑止することにより、ＳＤＨ／ＳＯＮＥＴ装置の受信側において当該ＶＣＡＴパスをＶＣＧから一時削除することを特徴とする請求項８に記載の伝送遅延低減方法。
【請求項１０】
前記送信クライアントデータをマッピングするために一時保存している送信用バッファのデータ量が、あらかじめ定めた送信バッファ閾値を超過した場合、送信側のＳＤＨ／ＳＯＮＥＴ装置において一時削除したＶＣＡＴパスの送信ＳＤＨ／ＳＯＮＥＴフレームに、位相合わせの開始を指示するコントロールワード“位相合わせ開始”を挿入して、対向装置へ送信するとともに、当該ＶＣＡＴパスへ前記送信クライアントデータをマッピングする動作を再開させることにより、ＳＤＨ／ＳＯＮＥＴ装置の送信側において当該ＶＣＡＴパスをＶＣＧに再度追加し直すことを特徴とする請求項８または９に記載の伝送遅延低減方法。
【請求項１１】
一時削除した前記ＶＣＡＴパスへ前記送信クライアントデータをマッピングする動作を再開する際に、当該ＶＣＡＴパスの送信ＳＤＨ／ＳＯＮＥＴフレームに挿入するコントロールワードを前記コントロールワード“位相合わせ開始”からＩＴＵ勧告で規定されているコントロールワード“ＮＯＲＭ（Ｎｏｒｍａｌ）”に切り替えて、対向装置へ送信することを特徴とする請求項１０に記載の伝送遅延低減方法。
【請求項１２】
対向装置からコントロールワード“位相合わせ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を再開するとともに、当該ＶＣＡＴパスの受信ＳＤＨ／ＳＯＮＥＴフレームをデマッピングする動作を再開することにより、ＳＤＨ／ＳＯＮＥＴ装置の受信側において当該ＶＣＡＴパスをＶＣＧに再度追加し直すことを特徴とする請求項１０または１１に記載の伝送遅延低減方法。
【発明の詳細な説明】
【技術分野】
【０００１】
本発明は、ＳＤＨ／ＳＯＮＥＴ伝送装置および伝送遅延低減方法に関し、特に、バーチャルコンカチネーション（ＶＣＡＴ：Virtual  Concatenation）を用いてクライアントデータをＳＤＨ／ＳＯＮＥＴネットワークを介して伝送するＳＤＨ／ＳＯＮＥＴ伝送装置および伝送遅延低減方法に関する。
【背景技術】
【０００２】
従来、通信網は電話を中心にして構成され、電話回線の多重伝送方式の国際標準として、ＳＤＨ（Synchronous  Digital  Hierarchy）がＩＴＵ−Ｔ勧告Ｇ．７０３として、また、ＳＯＮＥＴ（Synchronous  Optical  NETwork）がＢｅｌｌｃｏｒｅ規格ＧＲ−２５３−ＣＯＲＥとして規定されている。近年、データ通信が音声通信よりも増加し、また、音声電話もＩＰ電話に置き換わり、Ｅｔｈｅｒｎｅｔ（登録商標）を始めとするデータ通信が大部分を占めるようになってきている。
【０００３】
かくのごときデータ通信を効率良くＳＤＨ／ＳＯＮＥＴ回線に収容する技術としてＶＣＡＴ（Virtual  Concatenation）、ＬＣＡＳ（Link  Capacity  Adjustment  Scheme）などの技術が標準化されている。なお、ＶＣＡＴは、ＩＴＵ−Ｔ勧告Ｇ．７０７として、また、ＬＣＡＳは、ＩＴＵ−Ｔ勧告Ｇ．７０４２として標準化されている。
【０００４】
ＶＣＡＴを用いてデータ伝送経路をＳＤＨ／ＳＯＮＥＴネットワーク上に設定する場合、特許文献１の特開２００４−０１５１７３号公報「バーチャルコンカチネーションのチャネル変更方法および伝送装置」や特許文献２の特開２００５−１８４３０１号公報「仮想連結帯域の自動変更方法」に記載のように、既存のＳＤＨ／ＳＯＮＥＴネットワークの空きタイムスロットを利用して、経路が物理的に分散したＶＣＡＴパスを設定する場合がある。ここで、一部のパスが長い経路長を有する伝送路に設定されると、他の経路を通るパスに比べて大きな遅延差が発生してしまう場合がある。ＶＣＡＴの勧告上、ＶＣＧ（Virtual  Concatenation  Group）メンバ内に発生した遅延差は、受信側で最も大きい遅延を持つパスをその他のパスが待つことによって、位相を合わせてからクライアントデータをデマッピングしている。これにより、たとえ１本でも遅延の大きいパスがＶＣＧメンバ内に存在すると、当該ＶＣＧを構成するＶＣＡＴパス全体の遅延量が大きくなってしまうという問題があった。
【０００５】
この問題は、パスを設定する際に人間によりネットワーク設計を綿密に行うことにより回避可能ではあるが、近年、ＧＭＰＬＳ（Generalized  Multi-Protocol  Label  Switching）のような自律的にパスを設定するプロトコルも登場し、その結果、思いもかけない遅延差がネットワーク上に発生してしまう可能性がある。なお、ＧＭＰＬＳはＩＥＴＦ勧告ＲＥＦ  ３９４５として標準化されている。
【先行技術文献】
【特許文献】
【０００６】
【特許文献１】特開２００４−０１５１７３号公報（第５−７頁）
【特許文献２】特開２００５−１８４３０１号公報（第６−８頁）
【発明の概要】
【発明が解決しようとする課題】
【０００７】
通常、図９に示すように、クライアント装置５ａ，５ｂからクライアント側データネットワーク１ａ，１ｂそれぞれを介してＳＤＨ／ＳＯＮＥＴ伝送装置２ａ，２ｂから、場合によってはＳＤＨ／ＳＯＮＥＴ伝送用中継装置４ａを中継して、ＶＣＡＴを用いてＳＤＨ／ＳＯＮＥＴネットワーク３ａ，３ｂ上にクライアントデータの伝送を行う場合に、次のような問題が発生する。ここに、図９は、ＳＤＨ／ＳＯＮＥＴネットワークを構成する一般的な各構成要素を示すネットワーク構成図である。
【０００８】
つまり、例えばＳＤＨ／ＳＯＮＥＴ伝送装置２ａの送信側にて、図１０に示すように、クライアント側データネットワーク１ａからの送信クライアントデータ１１ａを、クライアントデータ処理部６ａにて送信用バッファ７ａにマッピング待ちデータ１２ａとして一旦保存する。しかる後、マッピング／デマッピング部８ａにて同じ位相に揃えてマッピング処理１３ａして、マルチフレーム処理部９ａを介してＳＤＨ／ＳＯＮＥＴ信号処理部１０ａから位相が揃うようにマッピングされた送信クライアントデータ１５ａを含む送信ＳＤＨ／ＳＯＮＥＴフレーム１４ａとして送信する。
【０００９】
しかし、ＶＣＡＴパスとして物理的な経路がＳＤＨ／ＳＯＮＥＴネットワーク３ａ、３ｂのように複数存在する場合、位相が揃うようにマッピングされた送信ＳＤＨ／ＳＯＮＥＴフレーム１４ａを送信するようにしたとしても、図１１に示すように、物理的な経路がＳＤＨ／ＳＯＮＥＴネットワーク３ａ、３ｂのように複数存在する場合、ＳＤＨ／ＳＯＮＥＴ伝送装置２ａの受信側に到着する受信クライアントデータ１５ｂを含む受信ＳＤＨ／ＳＯＮＥＴフレーム１４ｂには、伝送する経路の違いによって、時間差（遅延差）１７ａが発生する。
【００１０】
ここに、図１０は、図９に示すＳＤＨ／ＳＯＮＥＴネットワークにおけるＳＤＨ／ＳＯＮＥＴ伝送装置２ａの送信側の動作の一例を示す説明図であり、図１１は、図９に示すＳＤＨ／ＳＯＮＥＴネットワークにおけるＳＤＨ／ＳＯＮＥＴ伝送装置２ａの受信側の動作の一例を示す説明図である。
【００１１】
遅延差１７ａを伴う受信ＳＤＨ／ＳＯＮＥＴフレーム１４ａを受信した場合、ＳＤＨ／ＳＯＮＥＴ伝送装置２ａの受信側では、ＳＤＨ／ＳＯＮＥＴ信号処理部１０ａからマルチフレーム処理部９ａを介して受信遅延差吸収用バッファ１６ａにおいてＷａｉｔ処理１８ａ（待ち合わせ処理）を行うことによってこの遅延差１７ａを吸収して、ＶＣＧを構成する全てのＶＣＡＴパスで受信する受信ＳＤＨ／ＳＯＮＥＴフレーム１４ｂの位相を合わせる。
【００１２】
しかる後、マッピング／デマッピング部８ａにて受信クライアントデータ１１ｂにデマッピング処理１９ａして、クライアントデータ処理部６ａに転送している。かくのごとく、ＳＤＨ／ＳＯＮＥＴ伝送装置２ａの受信側にて、各ＶＣＡＴパスの遅延差１７ａを検出、吸収して、受信ＳＤＨ／ＳＯＮＥＴフレーム１４ｂの先頭を揃える方法は、ＩＴＵ−Ｔ勧告Ｇ．７０７に記載されており、ＳＤＨ／ＳＯＮＥＴネットワークを用いてクライアントデータを伝送する方法として広く使用されている。
【００１３】
しかし、かくのごとき遅延吸収動作では、１つでも遅延量が大きなＶＣＡＴパスが存在する場合、当該ＶＣＡＴパス以外の遅延の少ないＶＣＡＴパスにて伝送されたＳＤＨ／ＳＯＮＥＴフレームはＳＤＨ／ＳＯＮＥＴ伝送装置２ａ、２ｂ内のそれぞれの受信遅延差吸収用バッファ１６ａに留まることにより、遅延量の大きなＶＣＡＴパスのフレーム到着を待ってデマッピングされることになる。つまり、どんなに遅延の少ないＶＣＡＴパスでＶＣＧを構成しようとしても、１つでも遅延の大きいＶＣＡＴパスがＶＣＧメンバとして存在すれば、ＳＤＨ／ＳＯＮＥＴネットワーク全体としての遅延は、最も遅延の大きいＶＣＡＴパスに合わせたものになってしまう。
【００１４】
本発明は、かかる事情に鑑みてなされたものであり、バーチャルコンカチネーション（ＶＣＡＴ：Virtual  Concatenation）を用いてクライアントデータをＳＤＨ／ＳＯＮＥＴネットワークを介して伝送する際に、伝送遅延の低減が可能であり、かつ、送信クライアントデータが増加した際の対応が可能なＳＤＨ／ＳＯＮＥＴ伝送装置および伝送遅延低減方法を提供することを、その目的としている。
【課題を解決するための手段】
【００１５】
前述の課題を解決するため、本発明によるＳＤＨ／ＳＯＮＥＴ伝送装置は、次のような特徴的な構成を採用している。
【００１６】
（１）クライアントから送信されてきた送信クライアントデータを、バーチャルコンカチネーション（ＶＣＡＴ：Virtual  Concatenation）を用いてＳＤＨ（Synchronous  Digital  Hierarchy）／ＳＯＮＥＴ（Synchronous  Optical  NETwork）ネットワーク上を伝送するＳＤＨ／ＳＯＮＥＴ伝送装置において、前記送信クライアントデータのトラフィック量に応じて、遅延量が大きく、他のＶＣＡＴパスとの遅延差が大きいＶＣＡＴパスを自動的にＶＣＧ（Virtual  Concatenation  Group）メンバから一時削除したり、再追加したりするＳＤＨ／ＳＯＮＥＴ伝送装置。
【発明の効果】
【００１７】
本発明のＳＤＨ／ＳＯＮＥＴ伝送装置および伝送遅延低減方法によれば、以下のような効果を奏することができる。
【００１８】
第１の効果は、ＶＣＡＴによりクライアントデータをＳＤＨ／ＳＯＮＥＴネットワークを介して伝送するＳＤＨ／ＳＯＮＥＴ伝送装置において、ＶＣＧを構成する一部のＶＣＡＴパスの遅延が大きい場合に、当該ＶＣＡＴパスをマッピング対象から自動的に除外するので、当該ＶＣＡＴパスの遅延の影響を受けずに、ＳＤＨ／ＳＯＮＥＴネットワーク全体の遅延量を低減することができる。
【００１９】
第２の効果は、遅延の大きいＶＣＡＴパスをマッピング対象から除外した状態であっても、送信クライアントデータの増加により、ＳＤＨ／ＳＯＮＥＴネットワーク側の帯域が不足した場合には、除外していたＶＣＡＴパスを自動的に再度追加し直すので、ネットワーク管理者の負担を低減することができる。
【図面の簡単な説明】
【００２０】
【図１】本発明に係るＳＤＨ／ＳＯＮＥＴ伝送装置の内部構成の一例を示すブロック構成図である。
【図２】図１に示すＳＤＨ／ＳＯＮＥＴ伝送装置の送信側の動作の一例を示す説明図である。
【図３】図１に示すＳＤＨ／ＳＯＮＥＴ伝送装置の送信側の動作の他の例を示す説明図である。
【図４】図１に示すＳＤＨ／ＳＯＮＥＴ伝送装置の送信側の動作のさらに異なる例を示す説明図である。
【図５】図１に示すＳＤＨ／ＳＯＮＥＴ伝送装置の受信側の動作の一例を示す説明図である。
【図６】図１に示すＳＤＨ／ＳＯＮＥＴ伝送装置の受信側の動作の他の例を示す説明図である。
【図７】図１に示すＳＤＨ／ＳＯＮＥＴ伝送装置の受信側の動作のさらに異なる例を示す説明図である。
【図８】図１に示すＳＤＨ／ＳＯＮＥＴ伝送装置の受信側の動作のさらに異なる例を示す説明図である。
【図９】ＳＤＨ／ＳＯＮＥＴネットワークを構成する一般的な各構成要素を示すネットワーク構成図である。
【図１０】図９に示すＳＤＨ／ＳＯＮＥＴネットワークにおけるＳＤＨ／ＳＯＮＥＴ伝送装置の送信側の動作の一例を示す説明図である。
【図１１】図９に示すＳＤＨ／ＳＯＮＥＴネットワークにおけるＳＤＨ／ＳＯＮＥＴ伝送装置の受信側の動作の一例を示す説明図である。
【発明を実施するための形態】
【００２１】
以下、本発明によるＳＤＨ／ＳＯＮＥＴ伝送装置および伝送遅延低減方法の好適な実施例について添付図を参照して説明する。
【００２２】
（本発明の特徴）
本発明の実施形態の説明に先立って、本発明の特徴についてその概要をまず説明する。本発明は、ＩＴＵ−Ｔ勧告Ｇ．７０７において定められているＶＣＡＴ（Virtual  Concatenation）を用いたＳＤＨ（Synchronous  Digital  Hierarchy）／ＳＯＮＥＴ（Synchronous  Optical  NETwork）ネットワーク上のデータ伝送技術において、伝達される経路の違いにより発生するＶＣＡＴパスの遅延差が大きい場合に、クライアント側インタフェースから受けるトラフィック量に応じて、遅延量が大きく、他のＶＣＡＴパスとの遅延差が大きいＶＣＡＴパスを自動的にＶＣＧ（Virtual  Concatenation  Group）メンバから一時削除したり、再度追加し直したりすることにより、ＳＤＨ／ＳＯＮＥＴネットワーク全体の伝送路遅延を効率的に低減することを特徴としている。
【００２３】
つまり、本発明においては、ＳＤＨ／ＳＯＮＥＴ伝送装置の送信側にて、設定されたＶＣＧを形成する各ＶＣＡＴパスの中で、いずれかのＶＣＡＴパスについて遅れが大きく、他のＶＣＡＴパスに比しあらかじめ定めた遅延差閾値以上の遅延差を検出した場合、ＩＴＵ−Ｔ勧告Ｇ．７０４２にて規格化されているＬＣＡＳ（Link  Capacity  Adjustment  Scheme）技術にて使用されているコントロールワード“ＤＮＵ（Do  Not  Use）”送信シーケンスを利用して、遅延量が大きく、前記遅延差閾値以上の遅延差が生じたＶＣＡＴパスを自律的に使用しないように制御する。これにより、残った遅延量の少ないＶＣＡＴパスのみを用いてＶＣＧを構成し、ＳＤＨ／ＳＯＮＥＴ伝送装置の受信側の受信遅延差吸収用バッファ１６ａによる無駄なＷａｉｔ処理（待ち合わせ処理）を省き、ＳＤＨ／ＳＯＮＥＴネットワーク全体の遅延量を低減することを可能にしている。
【００２４】
また、遅延量の大きいＶＣＡＴパスを未使用にしている状態で、クライアント側データネットワークからの送信クライアントデータのデータ量が急増して、使用しているＳＤＨ／ＳＯＮＥＴネットワークのＶＣＡＴパスの帯域のみでは、クライアントデータを伝送できなくなった場合、かかる輻輳事態を検出して、ＳＤＨ／ＳＯＮＥＴ伝送装置の送信側にてコントロールワードを、コントロールワード“ＤＮＵ”から、本発明にて新規に定めるコントロールワード“位相合わせ開始”に切り替えて送信した後、コントロールワード“ＮＯＲＭ（Ｎｏｒｍａｌ）”に設定するシーケンスを使用することにより、未使用にしていた遅延量の大きいＶＣＡＴパスを再度ＶＣＧメンバとしてデータ伝送に使用するように、自律的に復帰させて、帯域を拡大し、クライアントデータを伝送することを可能とする。
【００２５】
なお、伝送ネットワークの使用状態として、ＳＤＨ／ＳＯＮＥＴネットワーク側の帯域は、通常、クライアント側が実際に使用する帯域に対して余裕を持って設定されているため、運用中に使用される帯域は設定帯域と比べて小さい場合が多い。本発明は、かかるＳＤＨ／ＳＯＮＥＴネットワークの現状に着目し、ＳＤＨ／ＳＯＮＥＴネットワーク側の設定帯域に対してクライアントデータの伝送量が小さい場合には、遅延量が大きいＶＣＡＴパスを自動的に削除し、ＶＣＡＴパス全体の遅延量を低減させることを目的としている。ただし、クライアント側から送信クライアントデータが大量に送信されてきた場合は、ＳＤＨ／ＳＯＮＥＴネットワーク側で自動的に削除されていた遅延量が大きいＶＣＡＴパスを元に戻し、設定値通りの帯域を確保することも必要となる。本発明は、かかる事態にも対応可能とするため、ＳＤＨ／ＳＯＮＥＴフレームへのマッピング待ちとして一時保存されている送信用バッファのデータ量を監視し、該データ量があらかじめ定めた送信用バッファ閾値を超えた状態になった場合には、遅延量が大きいパスとして一時削除していたＶＣＡＴパスを再度追加し直して、帯域を元の設定帯域通りに復帰させるシーケンスも用意している。
【００２６】
（実施形態の構成）
本発明に係るＳＤＨ／ＳＯＮＥＴ伝送装置の構成例について、図１を用いて説明する。図１は、本発明に係るＳＤＨ／ＳＯＮＥＴ伝送装置の内部構成の一例を示すブロック構成図である。図１に示すＳＤＨ／ＳＯＮＥＴ伝送装置２は、図１０に示す従来のＳＤＨ／ＳＯＮＥＴ伝送装置２ａに対して、送信用のＳＤＨ／ＳＯＮＥＴフレームへのマッピングを待つための送信用バッファ７ａにて溜まる送信クライアントデータの量があらかじめ定めた一定の送信用バッファ閾値を超えた際にその旨の信号を送信する送信用バッファ閾値超過信号送信部２０および送信用バッファ閾値超過信号伝達回路２１をさらに追加している。
【００２７】
また、図１のＬＣＡＳ管理部２３には、図１０に示す従来のＳＤＨ／ＳＯＮＥＴ伝送装置２ａの場合とは異なり、あらかじめ定めた一定の遅延差閾値以上の遅延差をマルチフレーム処理部９ａ内の受信側処理部２７において検出された際に、コントロールワード
“ＤＮＵ”を送信する指示となるＤＮＵ送信指示信号を、送信側制御信号伝達回路２４を介してマルチフレーム処理部９ａ内の送信側処理部２６に送信する機能を備えている。
【００２８】
さらに、図１のＬＣＡＳ管理部２３には、送信用バッファ７ａにマッピング待ちデータとして一時保存されている送信クライアントデータがあらかじめ定めた送信用バッファ閾値を超過したことを示す送信用バッファ閾値超過信号を送信用バッファ閾値超過信号伝達回路２１を介して受信した際に、送信側制御信号伝達回路２４を介してマルチフレーム処理部９ａ内の送信側処理部２６に“ＤＮＵ”の送信指示を停止した後、送信側制御信号伝達回路２４を介してマルチフレーム処理部９ａ内の当該送信側処理部２６に“位相合わせ開始”信号を送信し、ＬＣＡＳシーケンスの手順によって未使用としていたＶＣＡＴパスへのマッピングを再開する機能を、図１０に示す従来のＳＤＨ／ＳＯＮＥＴ伝送装置２ａに対して追加している。
【００２９】
（実施形態の動作の説明）
次に、図１に本発明に係る一実施形態として示したＳＤＨ／ＳＯＮＥＴ伝送装置２の動作を送信側と受信側とにそれぞれに分けて以下に説明する。まず、送信側の動作について図２を用いて説明する。図２は、図１に示すＳＤＨ／ＳＯＮＥＴ伝送装置２の送信側の動作の一例を示す説明図である。図２には、複数のＳＤＨ／ＳＯＮＥＴネットワーク３ａ、３ｂが存在していて、ＶＣＧを構成するいずれか特定のＶＣＡＴパスに遅れが生じてあらかじめ定めた遅延差閾値以上の遅延差１７ａが検出された場合の送信側の動作例について示している。
【００３０】
通常のＬＣＡＳ動作において、ＬＣＡＳ管理部２３は、マルチフレーム処理部９ａ内にある受信側処理部２７にて検知した遅延差１７ａをＶＣＧメンバとして登録されている全ＶＣＡＴパス分について監視している。ここで、例えばＳＤＨ／ＳＯＮＥＴネットワーク３ａ経由の受信ＳＤＨ／ＳＯＮＥＴフレーム１４ｂ１がＳＤＨ／ＳＯＮＥＴネットワーク３ｂ経由の受信ＳＤＨ／ＳＯＮＥＴフレーム１４ｂ２に対してあらかじめ定めた遅延差閾値以上の遅延差１７ａが生じていることを検出すると、ＬＣＡＳ管理部２３は、送信側制御信号伝達回路２４を経由して、該遅延差閾値以上の遅延差１７ａが生じているＶＣＡＴパスの送信側処理部２６に対してＤＮＵ送信指示信号２９を送信する。なお、あらかじめ定めた遅延差閾値は、ネットワーク管理者が自由に設定できる値である。
【００３１】
ＬＣＡＳ管理部２３からのＤＮＵ送信指示信号２９を受信した送信側処理部２６は、対向装置へ送信する送信ＳＤＨ／ＳＯＮＥＴフレーム１４ａ１に対して、コントロールワード“ＤＮＵ”３０を挿入する処理を開始する。また、この際、マッピング／デマッピング部８ａにおけるマッピング処理１３ａについては、ＬＣＡＳ管理部２３からマッピング／デマッピング制御用回路２２を経由してマッピング停止信号２８を受信することによって、クライアントデータ処理部６ａ内の送信用バッファ７ａのマッピング待ちデータ１２ａを、コントロールワード“ＤＮＵ”３０を送信したＶＣＡＴパスに対しては、送信クライアントデータ１１ａのマッピングを行わない動作に切り替える。ここで、マッピング／デマッピング部８ａにおけるコントロールワード“ＤＮＵ”を送信したＶＣＡＴパスに対してのマッピング動作の停止は、ＩＴＵ−Ｔ勧告Ｇ．７０４２に規定されている動作手順を使用して行う。
【００３２】
次に、あらかじめ定めた遅延差閾値以上の遅延差１７ａが発生しているＶＣＡＴパスのマッピング動作を停止している図２の状態において、クライアント側データネットワーク１ａからの送信クライアントデータ１１ａが増加して、送信用バッファ７ａにマッピング待ちデータ１２ａとして一時保存されている送信クライアントデータ１１ａがあらかじめ定めた送信用バッファ閾値を超過した場合の動作について、図３を用いて説明する。図３は、図１に示すＳＤＨ／ＳＯＮＥＴ伝送装置２の送信側の動作の他の例を示す説明図であり、あらかじめ定めた送信用バッファ閾値を超過する送信クライアントデータ１１ａが発生した場合のＳＤＨ／ＳＯＮＥＴ伝送装置の送信側の動作について示している。
【００３３】
図３において、クライアント側データネットワーク１ａから送信されてきた送信クライアントデータ１１ａは、マッピング／デマッピング部８ａにてマッピングされるまで待ち合わせるために、クライアントデータ処理部６ａ内にある送信用バッファ７ａに一時保存される。ここで、ＶＣＧを構成する全メンバを合計した帯域がクライアント側データネットワーク１ａから送信されてくる送信クライアントデータ１１ａのデータレートよりも小さい場合、送信用バッファ７ａに溜まるマッピング待ちデータ１２ａのデータ量は増加することになる。該マッピング待ちデータ１２ａのデータ量があらかじめ定めた送信用バッファ閾値３１を超えた場合、送信用バッファ閾値超過信号送信部２０から、送信用バッファ閾値超過信号３２が送信用バッファ閾値超過信号伝達回路２１を介してＬＣＡＳ管理部２３に送信される。
【００３４】
該送信用バッファ閾値超過信号３２を受信したＬＣＡＳ管理部２３は、遅延差閾値以上の遅延差１７ａが生じているＶＣＡＴパスの送信側処理部２６に対して今まで送信していたＤＮＵ送信指示信号２９の送信を停止し、その代わり、位相合わせ開始送信指示信号３５を送信側制御信号伝達回路２４を介して送信する。位相合わせ開始送信指示信号３５を受信した送信側処理部２６は、対向装置へ送信する送信ＳＤＨ／ＳＯＮＥＴフレーム１４ａ１に対して、コントロールワード“位相合わせ開始”３６を挿入する処理を開始する。
【００３５】
ここで、コントロールワード“位相合わせ開始”３６は、ＩＴＵ−Ｔ勧告Ｇ．７０４２に規定されているＬＣＡＳのコントロールワードの定義には存在しないものであり、ＩＴＵ−Ｔ勧告Ｇ．７０４２のＬＣＡＳ勧告上においては予備となっている値例えば「１１１０」をコントロールワード“位相合わせ開始”として、新たに定義することにする。ただし、コントロールワード“位相合わせ開始”３６のＬＣＡＳシーケンス上の取り扱いについては、ＬＣＡＳ勧告上で定められているコントロールワード“ＤＮＵ”３０と全く同じものとする。
【００３６】
また、コントロールワード“位相合わせ開始”３６は、ＬＣＡＳシーケンス上はコントロールワード“ＤＮＵ”３０と全く同じであるが、図６として後述するように、マッピング／デマッピング部８ａにおける位相合わせ開始のトリガ用として使用される。コントロールワード“位相合わせ開始”３６を送信ＳＤＨ／ＳＯＮＥＴフレーム１４ａ１に挿入して対向装置へ送信した後、ＬＣＡＳ管理部２３は、マッピング／デマッピング制御用回路２２を経由してマッピング開始信号３３をマッピング／デマッピング部８ａに対して送信し、今までマッピング動作を停止していたＶＣＡＴパスに関するマッピング処理１３ａを再開させる。
【００３７】
なお、今までマッピング動作を停止していたＶＣＡＴパスの送信ＳＤＨ／ＳＯＮＥＴフレーム１４ａ１へのマッピングを再開する際、送信ＳＤＨ／ＳＯＮＥＴフレーム１４ａ１には、コントロールワード“ＮＯＲＭ（Ｎｏｒｍａｌ）”３４の値が挿入される。また、このコントロールワード“ＮＯＲＭ”３４は、ＩＴＵ勧告のＬＣＡＳ勧告上で定義されているものをそのまま使用する。
【００３８】
ＳＤＨ／ＳＯＮＥＴネットワーク３ａを通るＶＣＡＴパスに対してのマッピング動作を再開した後は、送信用バッファ７ａに一時保存されているマッピング待ちデータ１２ａが送信用バッファ閾値３１を下回るデータ量になるまで、送信用バッファ閾値超過信号送信部２０は送信用バッファ閾値超過信号３２をＬＣＡＳ管理部２３に対して送信し続ける。この際の動作を図４に示す。図４は、図１に示すＳＤＨ／ＳＯＮＥＴ伝送装置２の送信側の動作のさらに異なる例を示す説明図であり、送信用バッファ７ａに一時保存されているマッピング待ちデータ１２ａがあらかじめ定めた送信用バッファ閾値３１を超えている限り、送信用バッファ閾値超過信号送信部２０は送信用バッファ閾値超過信号３２をＬＣＡＳ管理部２３に対して送信し続ける動作を説明している。
【００３９】
つまり、図４に示すように、ＬＣＡＳ管理部２３は、送信用バッファ閾値超過信号送信部２０からの送信用バッファ閾値超過信号３２を受信している限り、例えば、ＳＤＨ／ＳＯＮＥＴネットワーク３ａから受信する受信ＳＤＨ／ＳＯＮＥＴフレーム１４ｂ１に関するＶＣＡＴパスの遅延差１７ａがあらかじめ定めた遅延差閾値以上になっていたとしても、ＤＮＵ送信指示信号２９を当該ＶＣＡＴパスに該当する送信側処理部２６に対して送信することはない。送信用バッファ閾値超過信号送信部２０からの送信用バッファ閾値超過信号３２をＬＣＡＳ管理部２３が受信しなくなった場合に、再度、図２に示す動作に戻ることになる。しかる後において、遅延差１７ａがあらかじめ定めた遅延差閾値以上になっているＶＣＡＴパスを検出した場合に、該遅延差閾値以上になっているＶＣＡＴパスに該当する送信側処理部２６に対してＤＮＵ送信指示信号２９を送信することによって、当該ＶＣＡＴパスに対して、コントロールワード“ＤＮＵ”３０を挿入するようにして、当該ＶＣＡＴパスを主信号の送信用に使用しない動作に切り替える。
【００４０】
なお、従来のＬＣＡＳシーケンスにおいては、通常、ＳＤＨ／ＳＯＮＥＴ装置が吸収することができる限界値または通信キヤリアがＳＤＨ／ＳＯＮＥＴネットワークとして許容することができる遅延の限界値が遅延量の閾値として設定されており、該限界値を超えた遅延が検出されるＶＣＡＴパスは障害と判断されて、自動的に削除され、しかる後は、何らかの理由(例えばネットワークの再設計など)により当該遅延が解消されるまでは、遅延が検出されるＶＣＡＴパスは主信号の導通用としては使用されることはない。
【００４１】
これに対して、本実施形態における前記遅延差閾値は、前述したように、障害と判断される直前の遅延量が特定のＶＣＡＴパスに発生している場合を想定しており、前記遅延差閾値を超える遅延量であっても、ＳＤＨ／ＳＯＮＥＴ装置２およびＳＤＨ／ＳＯＮＥＴネットワーク３ａ，３ｂとして許容している遅延量であり、そのままの状態では、特定のＶＣＡＴパスに発生する該遅延量がＶＣＧを構成する全てのＶＣＡＴパスの遅延を引き起こすことになるという場合を想定している。
【００４２】
このため、本実施形態においては、前述したように、特定の１ないし数本のＶＣＡＴパスの遅延が、ＶＣＧを構成する全パスに対して影響を及ぼさないように、遅延量が大きく、前記遅延差閾値以上の遅延差となるＶＣＡＴパスを、前述したような“ＤＮＵ（Do  Not  Use）”送信シーケンスを応用した本実施形態独自の方法によってＶＣＧの対象から削除することにより、ネットワーク全体の遅延量を抑えることを可能としている。さらに、その後のクライアントからの送信クライアントデータのトラフィック量がＳＤＨ／ＳＯＮＥＴネットワーク全体の帯域よりも大きくなった場合には、本実施形態独自の“位相合わせ”動作を自動的に実施させることによって、対象から削除していたＶＣＡＴパスを即座にＶＣＧに再度追加し直して帯域を復旧させる動作も可能としている。
【００４３】
次に、受信側の動作について図５を用いて説明する。図５は、図１に示すＳＤＨ／ＳＯＮＥＴ伝送装置２の受信側の動作の一例を示す説明図である。図５には、通常状態において、対向装置からコントロールワード“ＤＮＵ”３０が挿入された受信ＳＤＨ／ＳＯＮＥＴフレーム１４ｂ１を受信した際の動作を示している。
【００４４】
マルチフレーム処理部９ａ内にある受信側処理部２７にて受信ＳＤＨ／ＳＯＮＥＴフレーム１４ｂ１に挿入されているコントロールワード“ＤＮＵ”３０を対向装置側から受信すると、ＬＣＡＳ管理部２３に対して、受信側制御信号伝達回路２５を経由してＤＮＵ受信通知３８を送信することにより、対向装置からコントロールワード“ＤＮＵ”３０を受信したことを通知する。
【００４５】
該ＤＮＵ受信通知３８を受信したＬＣＡＳ管理部２３は、マッピング／デマッピング制御用回路２２を経由してデマッピング停止信号３７をマッピング／デマッピング部８ａに対して送信することにより、コントロールワード“ＤＮＵ”３０を受信したＶＣＡＴパスで受信する受信ＳＤＨ／ＳＯＮＥＴフレーム１４ｂ１をデマッピング処理１９ａの対象としないように制御する。
【００４６】
以上のコントロールワード“ＤＮＵ”３０受信時の動作は、ＬＣＡＳ勧告に規定されているシーケンスを使用して行う。また、コントロールワード“ＤＮＵ”３０を受信したＶＣＡＴパスで受信する受信ＳＤＨ／ＳＯＮＥＴフレーム１４ｂ１をデマッピング処理１９ａの対象としないようにする動作に伴い、コントロールワード“ＤＮＵ”３０を受信したＶＣＡＴパスを受信遅延差吸収用バッファ１６ａにおけるＶＣＧの位相合わせ対象から除外するように動作する。
【００４７】
図２にて前述したＳＤＨ／ＳＯＮＥＴ伝送装置２の送信側におけるＤＮＵ送信状態および遅延差の大きいＶＣＡＴパスをマッピング対象から除外する動作と、図５に示すＳＤＨ／ＳＯＮＥＴ伝送装置２の受信側におけるＤＮＵ受信パスをデマッピングおよびＶＣＧの位相合わせ対象から除外する動作の完了とにより、ＳＤＨ／ＳＯＮＥＴネットワークの遅延を減少させるシーケンスが完了する。
【００４８】
次に、マルチフレーム処理部９ａ内にある受信側処理部２７にて、対向装置から受信する受信ＳＤＨ／ＳＯＮＥＴフレーム１４ｂ１に挿入されているコントロールワードが“ＤＮＵ”３０から“位相合わせ開始”３６に変化した際の動作を、図６を用いて説明する。図６は、図１に示すＳＤＨ／ＳＯＮＥＴ伝送装置の受信側の動作の他の例を示す説明図であり、受信ＳＤＨ／ＳＯＮＥＴフレーム１４ｂ１に挿入されているコントロールワードが“ＤＮＵ”３０から“位相合わせ開始”３６に変化した際の受信側の動作を示している。
【００４９】
図６において、マルチフレーム処理部９ａ内にある受信側処理部２７にて受信ＳＤＨ／ＳＯＮＥＴフレーム１４ｂ１に挿入されているコントロールワード“位相合わせ開始”３６を対向装置側から受信すると、ＬＣＡＳ管理部２３に対して、受信側制御信号伝達回路２５を経由して、位相合わせ開始通知４０を送信することにより、対向装置からコントロールワード“位相合わせ開始”３６を受信したことを通知する。
【００５０】
該位相合わせ開始通知４０を受信したＬＣＡＳ管理部２３は、マッピング／デマッピング制御用回路２２を経由して位相合わせ開始信号３９をマッピング／デマッピング部８ａに対して送信することにより、コントロールワード“位相合わせ開始”３６を受信したＶＣＡＴパスの受信クライアントデータとＶＣＧを構成するその他のＶＣＡＴパスの受信クライアントデータとの間の位相合わせを開始することを指示する。
【００５１】
ＬＣＡＳ管理部２３から該位相合わせ開始信号３９を受信したマッピング／デマッピング部８ａは、図７に示すように、受信遅延差吸収用バッファ１６ａにおけるＷａｉｔ処理１８ａ（待ち合わせ処理）により、コントロールワード“位相合わせ開始”３６を受信したＶＣＡＴパスの受信ＳＤＨ／ＳＯＮＥＴフレーム１４ｂ１とＶＣＧを構成するその他のＶＣＡＴパスの受信ＳＤＨ／ＳＯＮＥＴフレーム１４ｂ２との間の位相合わせを行う。図７は、図１に示すＳＤＨ／ＳＯＮＥＴ伝送装置の受信側の動作のさらに異なる例を示す説明図であり、ＬＣＡＳ管理部２３から位相合わせ開始信号３９を受信した際のマッピング／デマッピング部８ａの動作を示している。
【００５２】
図７において、位相合わせ開始信号３９をＬＣＡＳ管理部２３から受信したマッピング／デマッピング部８ａは、コントロールワード“位相合わせ開始”３６を受信したＶＣＡＴパスの受信ＳＤＨ／ＳＯＮＥＴフレーム１４ｂ１とＶＣＧを構成するその他のＶＣＡＴパスの受信ＳＤＨ／ＳＯＮＥＴフレーム１４ｂ２との間の位相を合わせるように、その他のＶＣＡＴパスの受信遅延差吸収用バッファ１６ａに対してＷａｉｔ処理１８ａを実施する。なお、当該位相を合わせる動作は、ＩＴＵ−Ｔ勧告Ｇ．７０７において定められているＶＣＡＴのマルチフレームを使用した際の位相合わせの動作をそのまま使用している。かくのごとき位相合わせの動作により、コントロールワード“位相合わせ開始”３６を含む受信ＳＤＨ／ＳＯＮＥＴフレーム１４ｂ１を含め、ＶＣＧを構成する全ＶＣＡＴパスにおいて各受信ＳＤＨ／ＳＯＮＥＴフレームの位相が揃い、マッピング／デマッピング部８ａにおいて、全ＶＣＡＴパスの受信クライアントデータに関してデマッピング処理１９ａを行うことが可能となる。
【００５３】
図７の動作により、コントロールワード“位相合わせ開始”３６を含む受信ＳＤＨ／ＳＯＮＥＴフレーム１４ｂ１を含め、ＶＣＧを構成する全ＶＣＡＴパスにおいて位相が揃い、マッピング／デマッピング部８ａにおいて、全ＶＣＡＴパスの受信クライアントデータに関してデマッピング処理１９ａを行う状態になると、以降は、図８に示すように、図１１として前述した従来のＳＤＨ／ＳＯＮＥＴネットワーク上でのＶＣＡＴパス遅延吸収動作と同様の動作となる。図８は、図１に示すＳＤＨ／ＳＯＮＥＴ伝送装置の受信側の動作のさらに異なる例を示す説明図であり、位相合わせ後の動作を示している。
【００５４】
図８のＶＣＧを構成する全ＶＣＡＴパスの位相合わせ動作を実施している状態において、対向装置から特定のＶＣＡＴパスについてコントロールワード“ＤＮＵ”が挿入された受信ＳＤＨ／ＳＯＮＥＴフレームを受信すると、再度、図５に示す動作を行うことになり、当該ＶＣＡＴパスをデマッピング処理１９ａの対象から除外する動作が実施される。
【００５５】
図３，４にて前述したＳＤＨ／ＳＯＮＥＴ伝送装置２の送信側におけるＶＣＡＴパスをマッピング対象に再度追加する動作と、図６，７，８に示すＳＤＨ／ＳＯＮＥＴ伝送装置２の受信側におけるＶＣＧの位相合わせおよびＶＣＡＴパスのデマッピング対象への再追加動作の完了とにより、送信クライアントデータ量が増加した場合における遅延の大きいＶＣＡＴパスの自動再追加シーケンスが完了する。
【００５６】
（実施形態の効果の説明）
以上に詳細に説明したように、本実施形態においては、以下に記載するような効果が得られる。
【００５７】
第１の効果は、ＶＣＡＴによりクライアントデータをＳＤＨ／ＳＯＮＥＴネットワークを介して伝送するＳＤＨ／ＳＯＮＥＴ伝送装置２において、ＶＣＧを構成する一部のＶＣＡＴパスの遅延が大きい場合に、当該ＶＣＡＴパスをマッピング対象から自動的に除外するので、当該ＶＣＡＴパスの遅延の影響を受けずに、ＳＤＨ／ＳＯＮＥＴネットワーク全体の遅延量を低減することができる。
【００５８】
第２の効果は、遅延の大きいＶＣＡＴパスをマッピング対象から除外した状態であっても、送信クライアントデータの増加により、ＳＤＨ／ＳＯＮＥＴネットワーク側の帯域が不足した場合には、除外していたＶＣＡＴパスを自動的に再度追加し直すので、ネットワーク管理者の負担を低減することができる。
【００５９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）対向装置から受信するいずれかのＶＣＡＴパスの受信ＳＤＨ／ＳＯＮＥＴフレームの遅延量が大きく、他のＶＣＡＴパスの受信ＳＤＨ／ＳＯＮＥＴフレームの遅延量に比しあらかじめ定めた遅延差閾値以上の遅延差である場合、当該ＶＣＡＴパスの送信ＳＤＨ／ＳＯＮＥＴフレームにＩＴＵ勧告で規定されているコントロールワード“ＤＮＵ（Do  Not  Use）”を挿入して、対向装置へ送信するとともに、当該ＶＣＡＴパスへ前記送信クライアントデータをマッピングする動作を抑止することにより、当該ＳＤＨ／ＳＯＮＥＴ装置の送信側において当該ＶＣＡＴパスをＶＣＧから一時削除する上記（１）のＳＤＨ／ＳＯＮＥＴ伝送装置。
（３）対向装置からコントロールワード“ＤＮＵ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームをデマッピングする動作を抑止するとともに、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を抑止することにより、当該ＳＤＨ／ＳＯＮＥＴ装置の受信側において当該ＶＣＡＴパスをＶＣＧから一時削除する上記（２）のＳＤＨ／ＳＯＮＥＴ伝送装置。
（４）前記送信クライアントデータをマッピングするために一時保存している送信用バッファのデータ量が、あらかじめ定めた送信バッファ閾値を超過した場合、送信側のＳＤＨ／ＳＯＮＥＴ装置において一時削除したＶＣＡＴパスの送信ＳＤＨ／ＳＯＮＥＴフレームに、位相合わせの開始を指示するコントロールワード“位相合わせ開始”を挿入して、対向装置へ送信するとともに、当該ＶＣＡＴパスへ前記送信クライアントデータをマッピングする動作を再開させることにより、当該ＳＤＨ／ＳＯＮＥＴ装置の送信側において当該ＶＣＡＴパスをＶＣＧに再度追加し直す上記（２）または（３）のＳＤＨ／ＳＯＮＥＴ伝送装置。
（５）一時削除した前記ＶＣＡＴパスへ前記送信クライアントデータをマッピングする動作を再開する際に、当該ＶＣＡＴパスの送信ＳＤＨ／ＳＯＮＥＴフレームに挿入するコントロールワードを前記コントロールワード“位相合わせ開始”からＩＴＵ勧告で規定されているコントロールワード“ＮＯＲＭ（Ｎｏｒｍａｌ）”に切り替えて、対向装置へ送信する上記（４）のＳＤＨ／ＳＯＮＥＴ伝送装置。
（６）対向装置からコントロールワード“位相合わせ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を再開するとともに、当該ＶＣＡＴパスの受信ＳＤＨ／ＳＯＮＥＴフレームをデマッピングする動作を再開することにより、当該ＳＤＨ／ＳＯＮＥＴ装置の受信側において当該ＶＣＡＴパスをＶＣＧに再度追加し直す上記（４）または（５）のＳＤＨ／ＳＯＮＥＴ伝送装置。
（７）クライアントから送信されてきた送信クライアントデータを、バーチャルコンカチネーション（ＶＣＡＴ：Virtual  Concatenation）を用いてＳＤＨ（Synchronous  Digital  Hierarchy）／ＳＯＮＥＴ（Synchronous  Optical  NETwork）ネットワーク上を伝送するＳＤＨ／ＳＯＮＥＴ伝送装置における伝送遅延低減方法であって、前記送信クライアントデータのトラフィック量に応じて、遅延量が大きく、他のＶＣＡＴパスとの遅延差が大きいＶＣＡＴパスを自動的にＶＣＧ（Virtual  Concatenation  Group）メンバから一時削除したり、再追加したりする伝送遅延低減方法。
（８）対向装置から受信するいずれかのＶＣＡＴパスの受信ＳＤＨ／ＳＯＮＥＴフレームの遅延量が大きく、他のＶＣＡＴパスの受信ＳＤＨ／ＳＯＮＥＴフレームの遅延量に比しあらかじめ定めた遅延差閾値以上の遅延差である場合、当該ＶＣＡＴパスの送信ＳＤＨ／ＳＯＮＥＴフレームにＩＴＵ勧告で規定されているコントロールワード“ＤＮＵ（Do  Not  Use）”を挿入して、対向装置へ送信するとともに、当該ＶＣＡＴパスへ前記送信クライアントデータをマッピングする動作を抑止することにより、ＳＤＨ／ＳＯＮＥＴ装置の送信側において当該ＶＣＡＴパスをＶＣＧから一時削除する上記（７）の伝送遅延低減方法。
（９）対向装置からコントロールワード“ＤＮＵ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームをデマッピングする動作を抑止するとともに、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を抑止することにより、ＳＤＨ／ＳＯＮＥＴ装置の受信側において当該ＶＣＡＴパスをＶＣＧから一時削除する上記（８）の伝送遅延低減方法。
（１０）前記送信クライアントデータをマッピングするために一時保存している送信用バッファのデータ量が、あらかじめ定めた送信バッファ閾値を超過した場合、送信側のＳＤＨ／ＳＯＮＥＴ装置において一時削除したＶＣＡＴパスの送信ＳＤＨ／ＳＯＮＥＴフレームに、位相合わせの開始を指示するコントロールワード“位相合わせ開始”を挿入して、対向装置へ送信するとともに、当該ＶＣＡＴパスへ前記送信クライアントデータをマッピングする動作を再開させることにより、ＳＤＨ／ＳＯＮＥＴ装置の送信側において当該ＶＣＡＴパスをＶＣＧに再度追加し直す上記（８）または（９）の伝送遅延低減方法。
（１１）一時削除した前記ＶＣＡＴパスへ前記送信クライアントデータをマッピングする動作を再開する際に、当該ＶＣＡＴパスの送信ＳＤＨ／ＳＯＮＥＴフレームに挿入するコントロールワードを前記コントロールワード“位相合わせ開始”からＩＴＵ勧告で規定されているコントロールワード“ＮＯＲＭ（Ｎｏｒｍａｌ）”に切り替えて、対向装置へ送信する上記（１０）の伝送遅延低減方法。
（１２）対向装置からコントロールワード“位相合わせ”を挿入した受信ＳＤＨ／ＳＯＮＥＴフレームをいずれかのＶＣＡＴパスで受信した際に、当該ＶＣＡＴパスの受信ＳＤＨ／ＳＯＮＥＴフレームとＶＣＧを構成する他のＶＣＡＴパスの受信ＳＤＨ／ＳＯＮＥＴフレームとの位相合わせを行う動作を再開するとともに、当該ＶＣＡＴパスの受信ＳＤＨ／ＳＯＮＥＴフレームをデマッピングする動作を再開することにより、ＳＤＨ／ＳＯＮＥＴ装置の受信側において当該ＶＣＡＴパスをＶＣＧに再度追加し直す上記（１０）または（１１）の伝送遅延低減方法。
【符号の説明】
【００６０】
１ａ，１ｂ      クライアント側データネットワーク
２ａ．２ｂ      ＳＤＨ／ＳＯＮＥＴ伝送装置
２              ＳＤＨ／ＳＯＮＥＴ伝送装置
３ａ、３ｂ      ＳＤＨ／ＳＯＮＥＴネットワーク
４ａ            ＳＤＨ／ＳＯＮＥＴ伝送用中継装置
５ａ，５ｂ      クライアント装置
６ａ            クライアントデータ処理部
７ａ            送信用バッファ
８ａ            マッピング／デマッピング部
９ａ            マルチフレーム処理部
１０ａ          ＳＤＨ／ＳＯＮＥＴ信号処理部
１１ａ          送信クライアントデータ
１１ｂ          受信クライアントデータ
１２ａ          マッピング待ちデータ
１３ａ          マッピング処理
１４ａ          送信ＳＤＨ／ＳＯＮＥＴフレーム
１４ａ１          送信ＳＤＨ／ＳＯＮＥＴフレーム
１４ｂ          受信ＳＤＨ／ＳＯＮＥＴフレーム
１４ｂ１          受信ＳＤＨ／ＳＯＮＥＴフレーム
１４ｂ２          受信ＳＤＨ／ＳＯＮＥＴフレーム
１５ａ          送信クライアントデータ
１５ｂ          受信クライアントデータ
１６ａ          受信遅延差吸収バッファ
１７ａ          時間差（遅延差）
１８ａ          Ｗａｉｔ処理
１９ａ          デマッピング処理
２０            送信用バッファ閾値超過信号送信部
２１            送信用バッファ閾値超過信号伝達回路
２２            マッピング／デマッピング制御用回路
２３            ＬＣＡＳ管理部
２４            送信側制御信号伝達回路
２５            受信側制御信号伝達回路
２６            送信側処理部
２７            受信側処理部
２８            マッピング停止信号
２９            ＤＮＵ送信指示信号
３０            コントロールワード“ＤＮＵ”
３１            送信用バッファ閾値
３２            送信用バッファ閾値超過信号
３３            マッピング開始信号
３４            コントロールワード“ＮＯＲＭ”
３５            位相合わせ開始送信指示信号
３６            コントロールワード“位相合わせ開始”
３７            デマッピング停止信号
３８            ＤＮＵ受信通知
３９            位相合わせ開始信号
４０            位相合わせ開始通知
【図１】
2010212803.tif 000003
【図２】
2010212803.tif 000004
【図３】
2010212803.tif 000005
【図４】
2010212803.tif 000006
【図５】
2010212803.tif 000007
【図６】
2010212803.tif 000008
【図７】
2010212803.tif 000009
【図８】
2010212803.tif 000010
【図９】
2010212803.tif 000011
【図１０】
2010212803.tif 000012
【図１１】
2010212803.tif 000013